(57)【要約】【課題】  急な雨にも簡単且つ迅速に対応でき、雨が上がった後の収納性にも優れた、実用性ある二輪車用防雨カバー装置を提供する。【解決手段】  伸縮可能に構成され、伸長時には二輪車の運転者の頭の上を越えて前後にアーチ状に延在できる長さを有する伸縮フレーム３と、該伸縮フレーム３上に支持される多数のシート支持骨４と、該多数のシート支持骨４上に配設され、前記伸縮フレーム３の伸縮に応じて拡縮可能な防雨シート５であって、左右両縁が前記各シート支持骨４の両端部に連結される防雨シート５と、二輪車の車体の前部又は後部に取付可能な収納容器２であって、前記伸縮フレーム３の基端部３ａを保持するとともに前記伸縮フレーム３、前記多数のシート支持骨４及び前記防雨シート５を収縮状態で収納可能な収納容器２と、前記伸縮フレーム３の引き出し側端部３ｂを前記車体に取り外し可能に連結するための連結具６と、を備える。【選択図】    図１
2010076719.tif 000002
【特許請求の範囲】
【請求項１】
所定の長さの棒材（９，９）をＸ字状に枢支してなるクロス材（１０）を複数枢支して連ねて伸縮可能に構成され、伸長時には二輪車の運転者の頭の上を越えて前後にアーチ状に延在できる長さを有する伸縮フレーム（３）と、
左右水平方向に延びるように前記伸縮フレーム（３）上に支持される多数のシート支持骨（４）と、
該多数のシート支持骨（４）上に配設され、前記伸縮フレーム（３）の伸縮に応じて拡縮可能な防雨シート（５）であって、左右両縁が前記各シート支持骨（４）の端部に連結される防雨シート（５）と、
二輪車の車体の前部又は後部に取付可能な収納容器（２）であって、前記伸縮フレーム（３）の基端部（３ａ）を保持するとともに前記伸縮フレーム（３）、前記多数のシート支持骨（４）及び前記防雨シート（５）を収縮状態で収納可能な収納容器（２）と、
前記伸縮フレーム（３）の引き出し側端部（３ｂ）を前記車体に取り外し可能に連結するための連結具（６）と、を備えている、二輪車用防雨カバー装置。
【請求項２】
前記防雨シート（５）の拡張時の長さが、前記運転者の上半身の前方及び後方をも覆うことができる長さとされている、請求項１に記載の二輪車用防雨カバー装置。
【請求項３】
前記各シート支持骨（４）は、一端部（４ａ）が前記伸縮フレーム（３）に止着され、他端部（４ｂ）側が前記伸縮フレーム（３）に対して相対移動可能に連結されている、請求項１又は２に記載の二輪車用防雨カバー装置。
【請求項４】
前記各シート支持骨（４）の長さが前記棒材（９）の長さよりも長く形成され、該棒材（９）の長さを超える部分が折畳み自在とされている、請求項１，２又は３に記載の二輪車用防雨カバー装置。
【請求項５】
前記伸縮フレーム（３）と前記防雨シート（５）との間に左右方向に延びる可撓性支持骨（２０）を備え、該可撓性支持骨（２０）の両端部が前記伸縮フレーム（３）に止着され、該伸縮フレーム（３）の伸長により前記可撓性支持骨（２０）がアーチ状に撓んで前記防雨シート（５）の左右幅方向の中央部が持ち上げ支持される、請求項１乃至４のいずれか一項に記載の二輪車用防雨カバー装置。
【請求項６】
前記伸縮フレーム（３）と前記防雨シート（５）との間に前後方向に延びる可撓性支持骨（２１）を備え、該可撓性支持骨（２１）の両端部が前記伸縮フレーム（３）に止着され、該伸縮フレーム（３）の収縮により前記可撓性支持骨（２１）がアーチ状に撓んで前記防雨シート（５）が持ち上げられる、請求項１乃至５のいずれか一項に記載の二輪車用防雨カバー装置。
【請求項７】
前記伸縮フレーム（３）又は前記シート支持骨（４）のうち、使用時に運転者の前方に位置する部分をそれより前方の車体部分と連結して補強するための引っ張り紐（２２）を備えている、請求項１乃至６のいずれか一項に記載の二輪車用防雨カバー装置。
【請求項８】
前記収納容器（２）が、前記車体に対して前後方向に延びる第一の姿勢と左右方向に延びる第二の姿勢とに姿勢変更自在とされている、請求項１乃至７のいずれか一項に記載の二輪車用防雨カバー装置。
【発明の詳細な説明】
【技術分野】
【０００１】
本発明は、自転車やバイク等の二輪車の運転者が雨に濡れることなく両手でハンドル操作ができるようにする、二輪車用防雨カバー装置に関する。
【背景技術】
【０００２】
雨の中で自転車に乗る場合、傘を差しての片手運転は大変危険である。このため、交通法規上も、傘差しによる片手運転は禁止とされている（国家公安委員会告示「交通の方法に関する教則」、都道府県公安委員会規則）。
【０００３】
自転車の運転者が雨に濡れることなく両手で安全にハンドル操作ができるようにするために、種々の構成の防雨装置が提案されている（特許文献１〜３等参照）。
【特許文献１】実開平６−６１６８２号公報
【特許文献２】実開平７−３５２８１号公報
【特許文献３】特開２００６−５７２２６号公報
【発明の開示】
【発明が解決しようとする課題】
【０００４】
しかしながら、従来の防雨装置は、急に雨が降ってきた時の対応性や、雨が止んだ時の収納性等に難があり、実用性に欠ける欠点があった。
【０００５】
本発明は、このような事情を背景としてなされたもので、急な雨にも簡単且つ迅速に対応でき、雨が上がった後の収納性にも優れた、実用性ある二輪車用防雨カバー装置を提供しようとするものである。
【課題を解決するための手段】
【０００６】
前記課題を解決するため、本発明に係る二輪車用防雨カバー装置は、所定の長さの棒材をＸ字状に枢支してなるクロス材を複数枢支して連ねて伸縮可能に構成され、伸長時には二輪車の運転者の頭の上を越えて前後にアーチ状に延在できる長さを有する伸縮フレームと、左右水平方向に延びるように前記伸縮フレーム上に支持される多数のシート支持骨と、該多数のシート支持骨上に配設され、前記伸縮フレームの伸縮に応じて拡縮可能な防雨シートであって、左右両縁が前記各シート支持骨の両端部に連結される防雨シートと、二輪車の車体の前部又は後部に取付可能な収納容器であって、前記伸縮フレームの基端部を保持するとともに前記伸縮フレーム、前記多数のシート支持骨及び前記防雨シートを収縮状態で収納可能な収納容器と、前記伸縮フレームの引き出し側端部を前記車体に取り外し可能に連結するための連結具と、を備える（請求項１）。
【０００７】
前記二輪車用防雨カバー装置は、次のように使用する。前記収納容器は、二輪車の車体の前部又は後部に取り付けられる。前記伸縮フレームは、前記防雨シート及び前記多数のシート支持骨と共に、収縮状態で前記収納容器に収納される。二輪車運転中に雨が降り出した場合には、二輪車を止めて、運転者が前記収納容器から前記伸縮フレームの引き出し側端部を引き出す。前記伸縮フレームの基端部は、前記収納容器に保持されているので、前記伸縮フレームが伸長し、これにしたがって、前記多数のシート支持骨で支持されている前記防雨シートも拡張する。運転者は、前記伸縮フレームを引き延ばし、前記伸縮フレームの前記引き出し側端部を、前記連結具によって、車体に対して連結する。運転者がサドル又は座席に座った状態で、前記防雨シートは、少なくとも前記運転者の上方を覆う。このため、運転者が雨中で二輪車を運転しても雨に濡れることがない。しかも、両手でハンドル操作ができるので、安全に走行できる。
【０００８】
使用後は、前記伸縮フレームの前記引き出し側端部を車体から外し、前記伸縮フレームを収縮させる。これに伴って、前記防雨シートも縮小される。そして、前記伸縮フレーム、前記多数のシート支持骨及び前記防雨シートは、小さくまとめられた状態で前記収納容器に収納される。
【０００９】
本発明によれば、前記伸縮フレームを伸長させてその引き出し側端部を前記連結具によって車体に係止するだけで、前記防雨シートのセットが完了する。このため、運転中に急な雨に遭遇しても、運転者は簡易且つ迅速に雨を防ぐことができ、雨中でも雨に濡れることなく両手でハンドルを操作して安全に運転を継続することができる。また、前記伸縮フレーム及び前記防雨シートの収納も簡単かつ迅速に行える。
【００１０】
好適な実施の一形態として、前記防雨シートの拡張時の長さを、前記運転者の上半身の前方及び後方をも覆うことができる長さとすれば（請求項２）、前方及び後方からの雨も防げて、一層好適である。
【００１１】
好適な実施の一形態として、前記各シート支持骨の一端部が前記伸縮フレームに止着され、他端部側が前記伸縮フレームに対して相対移動可能に連結される態様とすることもできる（請求項３）。このようにすれば、前記伸縮フレームの伸長に応じて前記各シート支持骨が左右外方へと進出するので、使用時における有効防雨幅が広くなる利点がある。
【００１２】
好適な実施の一形態として、前記各シート支持骨の長さを前記棒材の長さよりも長く形成し、該棒材の長さを超える部分を折畳み自在とすることもできる（請求項４）。この場合、前記伸縮フレームの収縮時には前記各シート支持骨を折畳み、前記伸縮フレームの伸長時には前記各シート支持骨を展張して使用する。これにより、収納時のサイズに比べて、防雨のための使用時の横幅サイズは大きくなり、収納性と防雨性の双方が向上する利点がある。
【００１３】
他の好適な実施の一形態として、前記伸縮フレームと前記防雨シートとの間に左右方向に延びる可撓性支持骨を備え、該可撓性支持骨の両端部が前記伸縮フレームに止着され、該伸縮フレームの伸長により前記可撓性支持骨がアーチ状に撓んで前記防雨シートの左右幅方向の中央部が持ち上げ支持される態様とすることもできる（請求項５）。このようにすれば、前記防雨シート上の雨が左右に円滑に流れ落ちて、好適である。
【００１４】
好適な実施の一形態として、前記伸縮フレームと前記防雨シートとの間に前後方向に延びる可撓性支持骨を備え、該可撓性支持骨の両端部が前記伸縮フレームに止着され、該伸縮フレームの収縮により前記可撓性支持骨がアーチ状に撓んで前記防雨シートが持ち上げられる態様とすることもできる（請求項６）。このようにすれば、前記伸縮フレームの収縮時に前記防雨シートが整然と収納される。
【００１５】
好適な実施の一形態として、前記伸縮フレーム又は前記シート支持骨のうち、使用時に運転者の前方に位置する部分をそれより前方の車体部分と連結して補強するための引っ張り紐を設けることもできる（請求項７）。このようにすれば、防雨のための使用時に、前方からの風に対する耐性が向上する。
【００１６】
好適な実施の一形態として、前記収納容器が、前記車体に対して前後方向に延びる第一の姿勢と左右方向に延びる第二の姿勢とに姿勢変更自在とすることもできる（請求項８）。この場合、防雨カバー装置の不使用時には、前記収納容器を前記第一の姿勢に保持し、防雨のための使用時には、前記収納容器を前記第二の姿勢に保持する。こうすることにより、防雨カバー装置の不使用時に前記収納容器が運転者の邪魔にならない。
【発明を実施するための最良の形態】
【００１７】
以下、添付図面を参照して、本発明の実施の一形態について説明する。本発明に係る防雨カバー装置は、自転車、スクーター、バイク等の二輪車について使用できるが、本実施の形態では、典型的な例として自転車に取り付けた例を説明する。
【００１８】
図１は、本実施の形態に係る防雨カバー装置の使用状態の斜視図、図２は、図１の防雨カバー装置の一部平面図、図３は、図２の防雨カバー装置の収縮状態の平面図、図４は、クロス材を構成する棒材の交差連結部（図２のＡ部）の分解斜視図、図５は、クロス材同士の連結部（図２のＢ部）の分解斜視図、図６は、図２のＶＩ−ＶＩ矢視図、図７は、図３のＶＩＩ矢視図、図８は、図３のＶＩＩＩ−ＶＩＩＩ矢視図である。
【００１９】
図１に示すように、本実施の形態に係る防雨カバー装置１は、収納容器２と、伸縮フレーム３と、多数のシート支持骨４と、防雨シート５と、連結具６と、を備える。
【００２０】
前記収納容器２は、前記伸縮フレーム３、前記多数のシート支持骨４及び前記防雨シート５を収縮状態で収納するための容器である。前記収納容器２は、細長い箱状のものであり、下部に、自転車の車体への取付部として、例えば、図示しないクランプを備える。このクランプにより、前記収納容器２は、自転車に対して取り外し可能に取着される。
【００２１】
前記収納容器２は、自転車の車体の前部又は後部に取り付けられる。図１の例では、前記収納容器２を車体の前部に取り付けているが、後部の荷台に取り付けることにしてもよい。前記収納容器２を車体の前部に取り付ける場合には、図１に示すように、自転車のハンドルよりも下の位置に取り付けるのが好ましい。前記収納容器２の位置が、アーチ状に張設される前記防雨シート５による防雨の起点となり、該起点が低いほど、運転者の体が濡れにくいからである。図１の例では、前記収納容器２が、自転車のサドルポスト７ａとハンドルポスト７ｂとの間に斜めに配設される連結パイプ８に対して取り付けられている。
【００２２】
前記収納容器２は、車体に対して前後方向に延びる第一の姿勢と左右方向に延びる第二の姿勢とに姿勢変更自在とするのが好ましい。防雨カバー装置１の不使用時には、前記収納容器２を前記第一の姿勢に保持し、防雨のための使用時には、前記収納容器２を前記第二の姿勢に保持する。こうすることにより、防雨カバー装置１の不使用時に、前記収納容器２が運転者の邪魔にならなくて、好適である。
【００２３】
前記伸縮フレーム３は、図２に示すように、所定の長さの棒材９をＸ字状に枢支してなるクロス材１０を複数枢支して連ねることにより、伸縮可能に構成される。前記棒材９は、例えば、軽量金属製又はプラスチック製とする。前記伸縮フレーム３は、図１に示すように、伸長時に自転車の運転者の頭の上を越えて前後にアーチ状に延在できる長さを有する。
【００２４】
前記クロス材１０は、図２及び図４に示すように、二本の棒材９，９をそれらの中央部において中央枢支軸１１で連結したものである。したがって、前記クロス材１０においては、前記二本の棒材９，９の交差角度が、前記中央枢支軸１１を中心として平面内で自由に変更できる。図示例では、前記棒材９が丸棒として示されているが、断面が矩形の棒材であってもよい。
【００２５】
図５に示すように、一つのクロス材１０の端部１２と、他の一つのクロス材１０の端部１２とを、端部枢支軸１３で枢支する。これを繰り返してクロス材１０を多数連ねることにより、図２に示すように、多数の菱形が連なった形式に前記伸縮フレーム３が形成される。該伸縮フレーム３は、これを伸長させることにより、菱形の形状が自転車の前後方向へと細長くなる。一方、前記伸縮フレーム３は、これを収縮させることにより、菱形の形状が自転車の左右方向へと細長くなり、最終的に前記伸縮フレーム３を完全に収縮させた状態では、図３に示すように、棒材同士がほぼ平行になって密集したコンパクトな状態となる。
【００２６】
図５に示すように、前記各端部枢支軸１３の上端部には、前記伸縮フレーム３上に前記各シート支持骨４を摺動自在に取り付けるための支持骨挿通リング１４が一体に形成されている。該リング１４に代えて、前記各シート支持骨４を摺動自在に受け入れる支持骨挿通スリーブを設けることとしてもよい。
【００２７】
図１に示すように、前記伸縮フレーム３の基端部３ａは、前記収納容器２に保持されている。一方、前記伸縮フレーム３の引き出し側端部３ｂは、前記連結具６によって、自転車の車体に取り外し可能に連結される。前記連結具６は、前記伸縮フレーム３の引き出し側端部３ｂを前記車体に取り外し可能に連結するためのものである。したがって、前記連結具６は、前記伸縮フレーム３の前記引き出し側端部３ｂに設けてもよいし、逆に、自転車の車体側に設けてもよい。前記連結具６の具体的態様として、クランプ状のものや、クリップ状のものが挙げられる。
【００２８】
図２に示すように、前記伸縮フレーム３上には、前記多数のシート支持骨４が支持されている。各シート支持骨４は、前記伸縮フレーム３の伸縮方向に対して直角な水平方向（左右水平方向）に延びるように前記伸縮フレーム３上に互いにほぼ平行に配設される。
【００２９】
前記各シート支持骨４は、前記伸縮フレーム３における左右一対の端部枢支軸１３，１３付近の間に、左右に位置をずらして二本ずつ配設される。図５に示すように、各シート支持骨４の一端部４ａは、前記端部枢支軸１３のすぐ近くで前記クロス材１０を構成する前記棒材９に支持骨枢支軸１５により止着される。一方、前記各シート支持骨４の他端部４ｂ側は、前記伸縮フレーム３に対して相対移動可能に連結される。具体的には、例えば、前記各シート支持骨４は、前記支持骨挿通リング１４に挿通されて、前記伸縮フレーム３に対して相対移動可能とされる。その結果、前記伸縮フレーム３の伸長により、前記支持骨挿通リング１４から外方への前記各シート支持骨４の伸び出し量が大きくなり、逆に、前記伸縮フレーム３の収縮により、前記支持骨挿通リング１４から外方への前記各シート支持骨４の伸び出し量が小さくなる。これにより、収納時のサイズに比べて、防雨のための使用時の横幅サイズは大きくなり、収納性と防雨性の双方が向上する利点がある。
【００３０】
同様の目的で、前記各シート支持骨４の長さを前記棒材９の長さよりも長く形成し、該棒材９の長さを超える部分を折畳み自在とすることもできる。具体例として、前記各シート支持骨４は、図２に示すように、前記支持骨挿通リング１４から外方への伸び出し部に関節１６を備えている。該関節１６により、それより外方の折畳み骨部１７を上方回りで１８０度折り返して畳むことができる（図７参照）。前記シート支持骨４上における前記関節１６の配設位置は、図７に示すように、前記伸縮フレーム３を完全に収縮させたときに、前記関節１６が前記支持骨挿通リング１４のやや外側となる位置とする。
【００３１】
前記防雨シート５は、前記多数のシート支持骨４上に張設される。図２に示すように、前記防雨シート５の左右両縁Ｌ，Ｒは、前記各シート支持骨４の自由先端部４ｃに連結される。また、前記多数のシート支持骨４の左側自由先端部４ｃは、前記伸縮フレーム３の伸縮方向に延びる左側紐１８で前後に連結されており、同様に、前記多数のシート支持骨４の右側自由先端部４ｃは、前記伸縮フレーム３の伸縮方向に延びる右側紐１９で前後に連結されている。そして、前記防雨シート５の左右両縁Ｌ，Ｒは、前記左側紐１８と前記右側紐１９にも止着されている。したがって、前記伸縮フレーム３の伸長状態において、前記防雨シート５の左右両縁Ｌ．Ｒが垂れ下がったりめくれ上がったりすることはない。前記防雨シート５は、前記伸縮フレーム３の伸縮に応じて拡縮可能なものである。前記防雨シート５の素材は、通常の傘用のものを採用することができる。
【００３２】
前記防雨シート５の拡張時の左右幅及び前後長さは、運転者を雨から保護し得るだけの左右幅及び前後長さとする。防雨効果を高めるには、前記防雨シート５の横幅及び前後長さは、より大きい方が好ましい。一方、前記防雨シート５が大きすぎると、風の影響を受けやすかったり、収納時の利便性に欠けることになるので、それらを総合的に考慮して前記防雨シート５のサイズや前記シート支持骨４の長さを決定する。
【００３３】
図１に示すように、前記防雨シート５の拡張時の長さを、前記運転者の上半身の前方及び後方をも覆うことができる長さとすれば、前方及び後方からの雨も防げて、好適である。
【００３４】
この場合、拡張時における前記防雨シート５の前部だけは、運転者の視界を妨げないように透明であることを要するが、それ以外の部分は、透明であっても不透明であってもよい。前記収納容器２は、車体の前部又は後部に取り付け可能であることから、いずれの箇所に取り付けた場合でも運転者の前方となる防雨シート部分は、透明としておくのが良い。
【００３５】
図２及び図６に示すように、前記伸縮フレーム３と前記防雨シート５との間に、左右方向に延びる薄肉プラスチック板等の可撓性支持骨２０を設けることもできる。該可撓性支持骨２０は、前記伸縮フレーム３における左右一対の支持骨挿通リング１４同士の間に架設される。前記可撓性支持骨２０は、前記伸縮フレーム３が最も縮小されている図３の収納状態では、直線状となっている。そして、前記伸縮フレーム３の伸長により前記支持骨挿通リング１４同士の左右間隔が狭まると、図６に示すように、前記可撓性支持骨２０がアーチ状に撓む。その結果、該可撓性支持骨２０によって、前記防雨シート５の左右幅方向の中央部が持ち上げ支持される。このため、前記防雨シート５上の雨が左右に円滑に流れ落ちる利点がある。
【００３６】
図２及び図６に示すように、前記伸縮フレーム３と前記防雨シート５との間に、前後方向に延びる薄肉プラスチック板等の可撓性支持骨２１を設けることもできる。該可撓性支持骨２１は、前記伸縮フレーム３において前後に隣接する支持骨挿通リング１４同士の間に架設される。前記可撓性支持骨２１は、前記伸縮フレーム３が最も伸長されている図２の収納状態では、直線状となっている。そして、前記伸縮フレーム３の収縮により前記支持骨挿通リング１４同士の前後間隔が狭まると、図８に示すように、前記可撓性支持骨２１がアーチ状に撓む。その結果、該可撓性支持骨２１によって、前記防雨シート５が規則的且つ部分的に持ち上げられる。このため、前記伸縮フレーム３の収縮時に、前記防雨シート５が整然とした折畳み状態で収納される利点がある。
【００３７】
図１に示すように、前記伸縮フレーム３又は前記シート支持骨４のうち、使用時に運転者の前方に位置する部分をそれより前方の車体部分と連結して補強するための引っ張り紐２２を設けることもできる。このようにすれば、防雨のための使用時に、前方からの風に対する耐性が向上する。なお、前記引っ張り紐２２は、前記収納容器２を車体の前後いずれに取り付けた場合でも使用できるように、前後に二本設けておくのが良い。
【００３８】
前記二輪車用防雨カバー装置１は、次のように使用する。自転車で走行中に雨が降り出した場合には、自転車を止めて、運転者が前記収納容器２から前記伸縮フレーム３の引き出し側端部３ｂを引き出す。前記伸縮フレーム３の基端部３ａは、前記収納容器２に保持されているので、前記伸縮フレーム３が伸長する。これにしたがって、前記多数のシート支持骨４も左右外方へと進出し、該多数のシート支持骨４で支持されている前記防雨シート５も拡張する。前記関節１６において前記折畳み骨部１７も伸びるので、前記防雨シート５の拡張時の左右幅は一層広くなる。
【００３９】
運転者は、前記伸縮フレーム３の前記引き出し側端部３ｂを、前記連結具６によって車体に対して連結する。運転者がサドルに座った状態で、前記防雨シート５は、運転者の少なくとも上方、好ましくは前方、上方及び後方を覆う。このため、雨の中を自転車で走行しても運転者は雨に濡れることがない。しかも、両手でハンドル操作ができるので、安全に走行できる。
【００４０】
使用後は、前記伸縮フレーム３の前記引き出し側端部３ｂを車体から外し、前記伸縮フレーム３を収縮させる。これに伴って、前記防雨シート５も縮小される。そして、前記伸縮フレーム３、前記多数のシート支持骨４及び前記防雨シート５は、小さくまとめられた状態で前記収納容器２に収納される。
【００４１】
前記二輪車用防雨カバー装置１によれば、前記伸縮フレーム３を伸長させてその引き出し側端部３ｂを前記連結具６によって車体に係止するだけで、前記防雨シート５のセットが完了する。このため、運転中に急な雨に遭遇しても、運転者は簡易且つ迅速に雨を防ぐことができ、雨中でも雨に濡れることなく両手でハンドルを操作して安全に運転を継続することができる。また、前記伸縮フレーム３及び前記防雨シート５の収納も簡単かつ迅速に行える。
【００４２】
なお、図１の例とは逆に、前記収納容器２を自転車の荷台に取り付けた場合には、前記伸縮フレーム３の前記引き出し側端部３ｂは、運転者の前方の適宜の箇所（例えば、前記連結パイプ８等）に前記連結具６で連結する。
【図面の簡単な説明】
【００４３】
【図１】本実施の形態に係る防雨カバー装置の使用状態の斜視図である。
【図２】図１の防雨カバー装置の一部平面図である。
【図３】図２の防雨カバー装置の収縮状態の平面図である。
【図４】クロス材を構成する棒材の交差連結部（図２のＡ部）の分解斜視図である。
【図５】クロス材同士の連結部（図２のＢ部）の分解斜視図である。
【図６】図２のＶＩ−ＶＩ矢視図である。
【図７】図３のＶＩＩ矢視図である。
【図８】図３のＶＩＩＩ−ＶＩＩＩ矢視図である。
【符号の説明】
【００４４】
２    収納容器
３    伸縮フレーム
３ａ  伸縮フレームの基端部
３ｂ  伸縮フレームの引き出し側端部
４    シート支持骨
４ａ  一端部
４ｂ  他端部
５    防雨シート
６    連結具
９    棒材
１０  クロス材
２０  可撓性支持骨
２１  可撓性支持骨
２２  引っ張り紐
【図１】
2010076719.tif 000003
【図２】
2010076719.tif 000004
【図３】
2010076719.tif 000005
【図４】
2010076719.tif 000006
【図５】
2010076719.tif 000007
【図６】
2010076719.tif 000008
【図７】
2010076719.tif 000009
【図８】
2010076719.tif 000010